【事件の表示】
　特願２００８−３０３３６４「写真シール作成装置および方法，並びにプログラム」拒絶査定不服審判事件〔平成２２年　６月１０日出願公開，特開２０１０−１２８２２２，請求項の数（９）〕について，次のとおり審決する。
【結　論】
　原査定を取り消す。
　本願の発明は，特許すべきものとする。
【理　由】
第１　手続の経緯
　本願は，平成２０年１１月２８日の出願であって，平成２５年２月８日付けで拒絶理由が通知され，同年４月４日に意見書及び手続補正書が提出され，同年７月２９日付けで拒絶理由が通知され，同年９月１９日に意見書及び手続補正書が提出されたところ，平成２５年９月１９日提出の手続補正書による補正が平成２５年１２月１７日付けで却下されるとともに同日付けで拒絶査定がされ，これに対し，平成２６年３月１９日に拒絶査定不服審判が請求されると同時に手続補正がされたものである。
　
　
第２　平成２６年３月１９日提出の手続補正書による補正の適否
１　補正の内容
　平成２６年３月１９日提出の手続補正書による補正（以下，「本件補正」という。）は，平成２５年４月４日提出の手続補正書による補正後（以下，「本件補正前」という。）の特許請求の範囲及び明細書についてするものであって，そのうち特許請求の範囲の請求項１についての補正は，本件補正前の請求項１が次の（１）のとおりであったものを，次の（２）のとおりに補正するものであり（（１）及び（２）における下線は補正箇所を示す。），当該請求項１についての本件補正は，次の（３）の補正事項からなる。
　
（１）本件補正前の請求項１
　「【請求項１】
　写真シール作成ゲームとして，利用者に，前記利用者を被写体とする撮影作業，および前記撮影作業により得られた前記利用者の画像に対して編集情報を入力する編集入力作業を行わせ，さらに，得られた編集済みの前記利用者の画像を所定のシールシートに印刷し，印刷された前記シールシートを排出し，写真シールとして前記利用者に提供する写真シール作成装置において，
　前記利用者の操作に基づいて，
の
を特定する情報
　入力すべき前記編集情報を選択
するためのＧＵＩであって，
Ｎ個の色の組み合わせのうち，第１色目乃至第Ｎ色目の色のそれぞれに対応する色の前記ＧＵＩを
ＧＵＩ
　前記
ＧＵＩ
　選択された
上に表示
前記ＧＵＩの表示
　写真シール作成装置。」
　
（２）本件補正後の請求項１
　「【請求項１】
　写真シール作成ゲームとして，利用者に，前記利用者を被写体とする撮影作業，および前記撮影作業により得られた前記利用者の画像に対して編集情報を入力する編集入力作業を行わせ，さらに，得られた編集済みの前記利用者の画像を所定のシールシートに印刷し，印刷された前記シールシートを排出し，写真シールとして前記利用者に提供する写真シール作成装置において，
　
である文字または図形の色となる
の選択
，前記カラフルカラーを構成する複数の色が表示された１つのボタンに対する操作に基づいて
　入力すべき前記編集情報を選択
させるために複数の文字または複数の図形が表示される選択パレットにおいて，前記複数の文字または複数の図形の色を，前記ボタンが操作されることで
選択が
前記カラフルカラーを構成する複数の色のうちのいずれか１つの色に
選択パレット
　を備え，
　前記
選択パレット
として選択された前記文字または図形
前記利用者の
に対して入力
前記選択パレットに表示される前記複数の文字または複数の図形の色
　写真シール作成装置。」
　
（３）補正事項
補正事項１：
　本件補正前の請求項１に記載された「カラフルカラー受付制御手段」が行う「制御」に関して，「利用者の操作」を「カラフルカラーを構成する複数の色が表示された１つのボタンに対する操作」に限定し，「カラフルカラーを特定する情報の受け付け」を「カラフルカラーの選択の受け付け」に限定する。
　
補正事項２：
　本件補正前の請求項１に記載された「編集情報」を，「文字または図形」に限定する。
　
補正事項３：
　本件補正前の請求項１に記載された「編集情報を選択するためのＧＵＩ」を，「複数の文字または複数の図形が表示される選択パレット」に限定するとともに，本件補正前の請求項１の「ＧＵＩ表示制御手段」という名称を当該限定に整合させて「選択パレット表示制御手段」に変更する。
　
補正事項４：
　本件補正前の請求項１に記載された「ＧＵＩ表示制御手段」（本件補正後の「選択パレット表示制御手段」）が行う，「前記カラー受付制御手段により受け付けられたＮ個の色の組み合わせのうち，第１色目乃至第Ｎ色目の色のそれぞれに対応する色の前記ＧＵＩを順次切り替えて表示」する「制御」を，「選択パレットにおいて，前記複数の文字または複数の図形の色を，前記ボタンが操作されることで前記カラフルカラー受付制御手段により選択が受け付けられた前記カラフルカラーを構成する複数の色のうちのいずれか１つの色に順次切り替えて表示」する「制御」に限定する。
　
補正事項５：
　本件補正前の請求項１に記載された「ＧＵＩ表示制御手段」（本件補正後の「選択パレット表示制御手段」）が行う，「ＧＵＩの表示」の切り替えタイミングを，「選択された前記編集情報が前記ＧＵＩ上に表示される都度，または，選択された前記編集情報が前記撮影作業により得られた画像上に表示される都度」から，「前記編集情報として選択された前記文字または図形が前記撮影作業により得られた前記利用者の画像に対して入力される都度」に限定するとともに，「ＧＵＩの表示」の切り替えを，「前記選択パレットに表示される前記複数の文字または複数の図形の色」の切り替えに限定する。
　
２　新規事項の追加の有無について
　前記１（３）で述べた補正事項１における限定事項（カラフルカラーを構成する複数の色が表示された１つのボタンに対する操作に基づいてカラフルカラーの選択の受け付けがされる点）は，本願の願書に最初に添付した明細書（以下，願書に最初に添付した明細書を「当初明細書」といい，願書に最初に添付した明細書，特許請求の範囲及び図面を総称して「当初明細書等」という。）の【０１８０】，【０１９０】，【０１９１】，【０２１４】等に記載されているから，当該補正事項１は当初明細書等に記載された事項の範囲内においてするものである。
　また，前記１（３）で述べた補正事項２における限定事項（文字または図形が撮影作業により得られた画像に対して入力される点）は，当初明細書の【０１９５】，【０２００】，【０２０５】，【０２１０】，【０２１８】，【０２２３】等に記載されているから，当該補正事項２は当初明細書等に記載された事項の範囲内においてするものである。
　また，前記１（３）で述べた補正事項３における限定事項（選択パレットにて複数の文字または図形が表示される点）は，当初明細書の【０１２１】等に記載されているから，当該補正事項３は当初明細書等に記載された事項の範囲内においてするものである。
　さらに，前記１（３）で述べた補正事項４における限定事項（選択パレットにて表示する複数の文字または複数の図形の色を，選択されたカラフルカラーの複数の色のうちのいずれか一つの色に順次切り替える点），及び補正事項５における限定事項（文字または図形が画像に対して入力される都度，選択パレットにて表示される複数の文字または複数の図形の色を切り替える点）は，当初明細書の【０１９１】ないし【０２１１】，【０２１４】ないし【０２２４】等に記載されているから，当該補正事項４及び５は当初明細書等に記載された事項の範囲内においてするものである。
　したがって，請求項１についての本件補正は，特許法１７条の２第３項に規定する要件を満たしている。
　
３　補正の目的について
　前記１（３）で述べた補正事項１ないし５は，本件補正前の請求項１について，その発明特定事項である「カラフルカラー受付制御手段」が行う「制御」の内容，「編集情報」，「編集情報を選択するためのＧＵＩ」，「ＧＵＩ制御手段」が行う「制御」の内容，「ＧＵＩ表示」の切り替えタイミング及び切り替え内容にそれぞれ限定を付加するものであって，本件補正の前後で当該請求項１に係る発明の産業上の利用分野及び解決しようとする課題は同一であると認められるから，特許法１７条の２第５項２号に掲げる特許請求の範囲の減縮を目的とするものに該当する。
　
４　独立特許要件について
　前記３で述べたように，請求項１についての本件補正は，特許請求の範囲の減縮を目的とするものであるから，本件補正後の請求項１に係る発明（以下，「本件補正発明」という。）について，特許法１７条の２第６項において準用する同法１２６条７項の規定に適合するか（特許出願の際独立して特許を受けることができるものであるか）について検討する。
　
（１）本件補正発明
　本件補正発明は，前記１（２）にて本件補正後の請求項１として記載したとおりのものである。
（２）引用例
　ア　特開２００６−８５１７３号公報
（ア）　原査定の拒絶の理由に引用された特開２００６−８５１７３号公報（以下，「引用文献１」という。）は，本願の出願前に頒布された刊行物であって，当該引用文献１には，次の記載がある。（下線は，後述する引用発明の認定に特に関係する箇所を示す。）
　ａ　「【請求項１】
  使用者が撮影画像に対して画像入力をするペン入力領域が１つの第１の入力画面と，当該ペン入力領域が２つの第２の入力画面とを表示する表示手段と，
  上記第１の入力画面または上記第２の入力画面を上記表示手段に表示していずれかの入力画面で使用者に画像入力を実行させる入力ステップを実行する制御手段と，
  上記撮影画像と，上記入力画面のペン入力領域に画像入力されたペン入力画像との合成画像を写真プリントとして印刷するプリント手段とを備え，
  上記制御手段は，第１の入力画面および第２の入力画面において，撮影画像の縮小画像が表示されてペン入力領域に表示する撮影画像を選択するための画像選択部を表示するよう制御することを特徴とする画像プリント作成装置。」
　
　ｂ　「【技術分野】
【０００１】
  本発明は，ゲームセンター等に設置され，硬貨等の投入により使用者を撮影し，撮影画像をプリントする画像プリント作成装置，方法，およびプログラムに関するものである。
【背景技術】
【０００２】
  近年，ゲームセンター等において，
写真を撮影してシールプリント等にする画像プリント作成装置
・・・（中略）・・・
【発明の開示】
【発明が解決しようとする課題】
【０００７】
  ところで，最近は，画像プリント作成装置の利用者の増加とともに，そのニーズも多様化している。たとえば，撮影時に得られるオリジナルな色調をもつ画像だけでなく，写真全体の雰囲気を新たに演出するために，撮影後の画像に対してマリーン系あるいはセピア系といった色調の仕上がりに変更するなど，写真の色調等に変化を加えることが望まれている。また，文字やスタンプ等の手書き画像を入力して，撮影画像に変化をもたせる場合にも，画一的なものではなく多様な変化をもたせることで使用者Ｍ独自の個性のある写真プリントを得たいという要請も強い。
【０００８】
  しかし，従来の画像プリント作成装置は，被写体を撮影して得られるオリジナルな色調をもつ画像を単にプリントするだけであって，写真の色合いなどを使用者Ｍの好みに合わせて自由に変更することができない。また，被写体Ｍの背景画像として各種の趣向を凝らしたものも数多く提供されているが，フレームと被写体Ｍとを単に合成するだけの画一的なものであるため，次第に満足されなくなってきている。
【０００９】
  さらに，従来の画像プリント作成装置では，撮影後の画像をモニタに表示し，この表示された画像に対してタッチペン等で手書き画像を入力してオリジナルの撮影画像に合成できるようにしたものも提供されているが，この装置も単に手書き画像を撮影画像に合成できるようにしただけで，手書き画像に対してさらに使用者の好みに応じて着色を施したり，手書き画像を変形させたり，さらには背景色を変更するなど，使用者の多様な好みに適切に対応できるまでには至っておらず，使用者の撮影の楽しみを未だ十分に満足させるものではない。
【００１０】
  また，従来の画像プリント作成装置では，使用者が撮影画像に対して画像入力をするペン入力領域が１つの第１の入力画面と，当該ペン入力領域が２つの第２の入力画面とを表示し，第１の入力画面または上記第２の入力画面のいずれかの入力画面で使用者が画像入力を実行することができなかった。
【００１１】
  本発明は，このような事情に鑑みてなされたもので，使用者が第１の入力画面または第２の入力画面のいずれかの入力画面で画像入力を実行し，撮影画像と，入力画面のペン入力領域に画像入力されたペン入力画像との合成画像を写真プリントとして得ることができる画像プリント作成装置，方法，およびプログラムの提供を目的とする。
【課題を解決するための手段】
【００１２】
  上記目的を達成するため，本発明の画像プリント作成装置は，
使用者が撮影画像に対して画像入力をするペン入力領域が１つの第１の入力画面と，当該ペン入力領域が２つの第２の入力画面とを表示する表示手段と，
  上記第１の入力画面または上記第２の入力画面を上記表示手段に表示していずれかの入力画面で使用者に画像入力を実行させる入力ステップを実行する制御手段と，
  上記撮影画像と，上記入力画面のペン入力領域に画像入力されたペン入力画像との合成画像を写真プリントとして印刷するプリント手段とを備え，
  上記制御手段は，第１の入力画面および第２の入力画面において，撮影画像の縮小画像が表示されてペン入力領域に表示する撮影画像を選択するための画像選択部を表示するよう制御することを要旨とする。
・・・（中略）・・・
【発明の効果】
【００１５】
  すなわち，本発明の画像プリント作成装置，方法，およびプログラムによれば，上記制御手段により，上記第１の入力画面または上記第２の入力画面を上記表示手段に表示していずれかの入力画面で使用者に画像入力を実行させる。そして，上記プリント手段により
，上記撮影画像と，上記入力画面のペン入力領域に画像入力されたペン入力画像との合成画像を写真プリントとして印刷する。したがって，使用者は，上記第１の入力画面または上記第２の入力画面のいずれかの入力画面で画像入力を実行し，上記撮影画像と，上記入力画面のペン入力領域に画像入力されたペン入力画像との合成画像を写真プリントとして得ることができる。また，第１の入力画面および第２の入力画面において，撮影画像の縮小画像が表示されてペン入力領域に表示する撮影画像を選択するための画像選択部を表示するため，第１の入力画面と第２の入力画面いずれにおいても，縮小画像による撮影画像の選択が可能となる。
・・・（中略）・・・
【００２６】
  本発明において，上記撮影画像と合成される
スタンプ画像を入力するスタンプ画像入力手段
　
　ｃ　「【実施例１】
【００２８】
  この実施の形態における
画像プリント作成装置
【００２９】
  一方，
本体ケース２の内部には，被写体Ｍを撮影する撮影手段としてのカメラ６
カメラ６から画像データおよび
タッチペン１５で指示された操作信号を受信して画像合成等の処理を行なうコンピュータ装置７
コンピュータ装置７から送信された画像データを受信して得られる画像をプリント媒体１１に印刷するプリント手段としてのプリンタ９
設けられている
【００３０】
  また，
本体ケース２
コンピュータ装置７から送信された合成画像等の画像データを表示する画像表示手段としてのディスプレイ８が設けられ
プリンタ９で印刷されたプリント媒体１１を本体ケース２の外部に送出する送出口１２が形成され
【００３１】
  上記ディスプレイ８に近接した位置には
コントローラ１４
一対のタッチペン１５を備え
【００３２】
  上記の各タッチペン１５は，ディスプレイ８の左右に配置されていて，複数人でプレイする際に複数の使用者それぞれが，タッチペン１５の先端をディスプレイ８の表面に接触させることにより，
文字や図形等のペン入力画像
文字，図形等の手書き画像やスタンプ画像
【００３３】
  上記
ディスプレイ８とタッチペン１５とによって
スタンプ画像入力手段が構成され
【００３４】
  つぎに，上記ディスプレイ８やコンピュータ装置７を含むシステム構成の詳細について，図２を参照してさらに詳しく説明する。
【００３５】
  ディスプレイ８には，画像等を表示する表示部１６を有するとともに，この表示部１６に対して，タッチペン１５によって手書き画像や操作信号が入力される透明のタッチパネル等でできた入力部１７がオーバーレイして配置されている。
【００３６】
  
コンピュータ装置７は，カメラ６で撮影して得られる画像データを取り込むとともに，タッチペン１５によってディスプレイ８の入力部１７に入力された各種の操作信号に基づいて各種制御を行なう制御手段１８を備え
【００３７】
  また，コンピュータ装置７には，カメラ６のシャッタ操作による撮影回数をカウントするカウンタ２２や，
タッチペン１５によるペン入力画像の入力可能時間を計測するタイマ２３
【００３８】
  上記カウンタ２２は，コイン検出部２１による最初のコインの検出によってリセットされ，使用者Ｍによるタッチペン１５の撮影開始操作に応じてカウントを開始し，そのカウント値があらかじめ設定された所定の撮影可能回数（例えば４回等）に達すると制御手段１８がカメラ６による撮影動作を停止させるようになっている。また，上記
タイマ２３は，制御手段１８が手書き画像開始の指示メッセージをディスプレイ８に表示させるのとほぼ同時に計測を開始
【００３９】
  また，
コンピュータ装置７には，撮影画像記憶部２４が設けられ
撮影画像記憶部２４は，カメラ６で撮影された複数枚
分の画像，およびこれらの画像に対して
色調調整手段２５によって色調調整された複数枚
の画像がそれぞれ静止画像として記憶される
【００４０】
  上記の
色調調整手段２５
３原色Ｒ，Ｇ，Ｂごとに出力特性の異なる複数のトーンカーブ
が予め設定され
カメラ６で撮影された
オリジナルな撮影画像の各３原色Ｒ，Ｇ，Ｂの色信号を入力値とし，トーンカーブに基づく線形変換後の値を出力値として，異なる色調の撮影画像を生成する
【００４１】
  また，
コンピュータ装置７には，ペン入力画像処理部２８とペン入力画像記憶部２９とが設けられ
ペン入力画像処理部２８は，ディスプレイ８の表示部１６に表示される画像の所定領域に対してタッチペン１５を操作することで手書き画像やスタンプ画像などの各種のペン入力画像が得られるように処理を行なう
ン入力画像処理部２８で処理して得られるペン入力画像（手書き画像やスタンプ画像）を記憶する
【００４２】
  さらに，上記
コンピュータ装置７には，選択画像記憶部３０，画像合成手段３１，合成画像記憶部３２
が設けられ
選択画像記憶部３０には，使用者Ｍのタッチペン１５による操作信号に応じて，撮影画像記憶部２４に記憶されている撮影画像
の内から必要枚数
が選択決定されたときに
，その選択決定された枚数分の撮影画像が記憶される
【００４３】
  また，
画像合成手段３１は，上記選択画像記憶部３０に記憶されている撮影画像に対して，ペン入力画像記憶部２９に記憶された文字や図形等の手書き画像等を合成する
合成画像記憶部３２は，画像合成手段３１で合成された各画像を記憶
【００４４】
  さらにまた，
コンピュータ装置７には，表示画像選択手段３５や印刷制御部３６が設けられ
表示画像選択手段３５は，上記の各記憶部２４，３０，３２の出力を選択してディスプレイ８の表示部１６に表示すべき画像を選択する
印刷制御部３６
使用者Ｍによるタッチペン１５の操作によって選択されたシートレイアウトになるようにプリンタ９による印刷を制御する
【００４５】
  次に，上記構成を備えた画像プリント作成装置の動作の一例について，図４のフローチャートを参照しながら説明する。ここで，図４において，「Ｓ」はステップを意味する。
【００４６】
  まず，
使用者Ｍが最初のコインを投入すると
，カメラ６による被写体Ｍの撮像が開始され
，カメラ６で撮影される画像がコンピュータ装置７内に取り込まれ
コンピュータ装置７の制御手段１８は，表示画像選択手段３５を制御して，この取り込まれた画像をディスプレイ８の表示部１６に
動画としてリアルタイムで表示
【００４７】
  ついで，
使用者Ｍがディスプレイ８の表示画像を見ながら被写体Ｍとしての位置調整を完了した後に，タッチペン１５を用いて画面の指示に従ってシャッタ操作の操作信号を入力すると
，制御手段１８は，
所定時間が経過するたびに，カメラ６のシャッタ操作を制御
カメラ６で撮影された画像データが制御手段１８を介して撮影画像記憶部２４に格納される
とともに，ディスプレイ８には，その際に撮影した画像が静止画像として表示
【００４８】
  つぎに，制御手段１８は，カウンタ２２が規定の撮影枚数のカウント値に達しているか否かを判断し（Ｓ１４０），
規定枚数に達
シャッタ操作による静止画像の取り込みを繰り返す
【００４９】
  ステップ１４０において，
規定の撮影回数に達すると，制御手段１８は，撮影画像記憶部２４に記憶されている所定枚数のオリジナルの撮影画像のデータを色調調整手段２５に出力して色調調整を行なう
【００５０】
  すなわち，
色調調整手段２５
３原色Ｒ，Ｇ，Ｂごとに出力特性の異なる複数のトーンカーブが予め設定されている
トーンカーブに基づいて入力値とは異なる色レベルの色信号が出力
【００５１】
  こうして，
色調調整手段２５で色調が調整された撮影画像は，再び撮影画像記憶部２４に転送されて記憶され
オリジナルの複数枚
の撮影画像，および色調調整された複数枚分
の撮影画像
【００５２】
  続いて，
制御手段１８は，表示画像選択手段３５を制御して撮影画像記憶部２４の出力を選択するとともに，撮影画像記憶部２４に記憶されている全ての画像
データを読み出
ディスプレイ８の表示部１６に
一覧で表示
【００５３】
  図５において，左縦一列の４枚分の画像Ｐは，４回のシャッタ操作によりカメラ６で撮影されたオリジナルな撮影画像であり，中央縦一列の４枚分の画像Ｐは，色調調整手段２５でオリジナルの撮影画像に基づいて色調がマリーン系に調整された後の撮影画像であり，さらに，右縦一列の４枚分の画像Ｐは色調調整手段２５で色調がセピア系に調整された後の撮影画像となっている。
【００５４】
  また，同じ画面上には，使用者Ｍに対し，これらの撮影画像Ｐの内からどの画像をペン入力対象の画像とするかの決定を促すメッセージ（たとえば『好きな写真を４枚選んでね！』などの文言）が表示されるとともに，一人でペン入力をするモード（以下，一人用ペン入力モードという）と，二人でペン入力をするモード（以下，二人用ペン入力モードという）とを選択するためのペン入力モード選択ボタン３７ａ，３７ｂが表示される。
【００５５】
  そこで，
使用者Ｍは，ディスプレイ８に表示されている撮影画像Ｐの内から，タッチペン１５でペン入力画像の対象とする好みの複数枚
の画像Ｐをタップして選択した後
一人用ペン入力モード，あるいは二人用ペン入力モードを選択する
【００５６】
  
制御手段１８は，
選択された所定枚数分
の撮影画像のみを選択画像記憶部３０に転送して記憶し，続いて，選択画像記憶部３０に記憶された全ての撮影画像
のデータを読み出して表示画像選択手段３５を介してディスプレイ８に出力
【００５７】
  
その際
【００５８】
  すなわち，図６に示す
二人用ペン入力モード
では，画面の左右にペン入力領域３８が表示
各ペン入力領域３８の下方には画像選択ボタン３９がそれぞれ表示
選択された撮影画像Ｐの内の２つが割り当てられて表示され
画像選択ボタン３９には，ペン入力領域３８に割り当てられた撮影画像Ｐを除く残りの撮影画像Ｐが縮小されて表示される
【００５９】
  そして，この
縮小画像が表示された画像選択ボタン３９を操作することにより，この縮小画像に対応する撮影画像Ｐが既にペン入力領域３８に表示されている画像Ｐと入れ替わってペン入力領域３８に表示
【００６０】
  また，この表示画面には，
各種の手書き画像Ｄの入力モード（線種）を選択する複数のペン入力ボタン４２，各種のスタンプ画像Ｓの種類を選択する複数のスタンプ入力ボタン４３，
手書き画像に色付けするための複数のカラーパレット選択ボタン４６がそれぞれ表示され
できる
【００６１】
  一方，図７に示す
一人用ペン入力モード
，画面の上側に単一のペン入力領域３８が表示
ペン入力領域３８の下方には３つの画像選択ボタン３９がそれぞれ表示
選択された撮影画像Ｐの内の一つの画像が割り当てられて表示され
各画像選択ボタン３９
ペン入力領域３８に割り当てられた一つの撮影画像を除く残り３つの撮影画像Ｐが縮小されて表示され
その他のボタン４２〜４９については，
二人用ペン入力モードの表示画面の場合と同様
【００６２】
  こうして，撮影画像Ｐの割り当てが終了すると，ペン入力画像の入力が開始される（Ｓ１７０）。ここでは，便宜上，たとえば，図６に示す二人用ペン入力モードの表示画面において，左側のペン入力領域３８に表示されている撮影画像Ｐに対してペン入力画像を作成する場合について説明する。なお，他の撮影画像Ｐに対してペン入力画像を作成する場合についても，基本的な処理動作は同じである。
【００６３】
  たとえば，いま，
タッチペン１５でペン入力ボタン４２あるいはスタンプ入力ボタン４３の内の一つを選択した後，ペン入力領域３８に対してタッチペン１５を操作すると，
コントローラ１４と制御手段１８を介してペン入力画像処理部２８に入力される
ペン入力画像処理部２８は，その操作信号に応じたペン入力画像（手書き画像Ｄやスタンプ画像Ｓ）
を発生
その際，カラーパレット選択ボタン４６の内の一つを予め選択しておけば，手書き画像Ｄやスタンプ画像Ｓはその選択された色に色付けされ
これらのペン入力画像Ｄ，Ｓがペン入力画像記憶部２９に記憶されるとともに，画像合成手段３１に送出され
【００６４】
  特に，この実施の形態において，ペン入力ボタン４２の内には，モールペンの入力ボタンと，ストロークペンの入力ボタンとが設けられている。ここで，モールペンの入力ボタンを選択してペン入力領域３８上をタッチペン１５でなぞると，ペン入力画像処理部２８は，図９に示すように，手書きされた軌跡を中心として放射状に延びる複数の直線から構成されたモール状の手書き画像を発生する。
【００６５】
  また，ストロークペンの入力ボタンを選択してから，ペン入力領域３８上に既に表示されているスタンプ画像の上をなぞると，ペン入力画像処理部２８は，図１０に示すように，スタンプ画像を変形等した画像を発生する。たとえば，同図（ａ）に示すように，『Ｔ』『Ｙ』『Ｐ』『Ｅ』の各文字スタンプの上をタッチペン１５でなぞると，これらの各文字がなぞった方向に伸長される。また，同図（ｂ）に示すように，矢印『←』のスタンプの上をタッチペン１５でなぞると，この矢印がなぞった方向に伸長される。さらに，同図（ｃ）に示すように，千鳥状に配置された木の葉のスタンプの上をタッチペン１５でなぞると，なぞった方向に沿って木の葉がランダムに配置されたり連結されたりする。
【００６６】
  
画像合成手段３１は，選択画像記憶部３０に記憶されている複数枚
の撮影画像Ｐの内，ペン入力領域３８に表示されている撮影画像Ｐに対して，ペン入力画像記憶部２９に記憶されたペン入力画像
の合成を行
制御手段１８は，この画像合成手段３１で合成された画像を合成画像記憶部３２に記憶した後，その合成画像のデータを読み出して表示画像選択手段３５を介してディスプレイ８に出力
ディスプレイ８のペン入力領域３８に
合成画像が表示
・・・（中略）・・・
【００８０】
  時間経過により，
タイマ２３の計測時間が入力可能時間を過ぎると，印刷の際のシートレイアウトの選択が行なわれ
，合成画像記憶部３２に記憶された合成画像のデータが印刷制御部３６を介してプリンタ９に送られ，印刷が開始され
被写体Ｍの撮影画像Ｐとペン入力画像等が合成された合成画像が印刷されたプリント媒体１１が本体ケース２の前面側の送出口１２から送出される
　ｃ
　
（イ）　前記（ア）ａないしｃから，引用文献１には，次の発明（以下，「引用発明」という。）が記載されていると認められる。
「写真を撮影してシールプリント等にする画像プリント作成装置であって，
　被写体Ｍを撮影する撮影手段としてのカメラ６と，当該カメラ６から画像データおよびタッチペン１５で指示された操作信号を受信して画像合成等の処理を行なうコンピュータ装置７と，当該コンピュータ装置７から送信された画像データを受信して得られる画像をプリント媒体１１に印刷するプリンタ９と，コンピュータ装置７から送信された合成画像等の画像データを表示するディスプレイ８と，一対のタッチペン１５を備えたコントローラ１４と，プリンタ９で印刷されたプリント媒体１１を本体ケース２の外部に送出する送出口１２とが設けられた本体ケース２を有し，
　前記ディスプレイ８と前記タッチペン１５とによってスタンプ画像Ｓを入力するスタンプ画像入力手段が構成され，
　前記コンピュータ装置７は，制御手段１８と，撮影画像記憶部２４と，色調調整手段２５と，ペン入力画像処理部２８と，ペン入力画像記憶部２９と，選択画像記憶部３０と，画像合成手段３１と，合成画像記憶部３２と，表示画像選択手段３５と，タイマ２３とを有しており，
　使用者Ｍが最初のコインを投入すると，前記カメラ６による被写体Ｍの撮像が開始され，使用者Ｍが動画としてリアルタイムで表示される前記ディスプレイ８の表示画像を見ながら被写体Ｍとしての位置調整を完了した後に，タッチペン１５を用いて画面の指示に従ってシャッタ操作の操作信号を入力すると，前記制御手段１８が，所定時間が経過するたびに，前記カメラ６のシャッタ操作を制御し，撮影された画像データを前記撮影画像記憶部２４に格納するとともに，前記ディスプレイ８に，その際に撮影した画像を静止画像として表示し，
　撮影枚数が規定枚数に達すると，前記制御手段１８は，前記撮影画像記憶部２４に記憶されている所定枚数のオリジナルの撮影画像のデータを前記色調調整手段２５に出力し，当該色調調整手段２５は，入力されたオリジナルの撮影画像に対して色調調整を行ない，色調が調整された撮影画像は，前記撮影画像記憶部２４に転送されて記憶され，前記制御手段１８は，前記表示画像選択手段３５を制御して前記撮影画像記憶部２４の出力を選択するとともに，前記撮影画像記憶部２４に記憶されているオリジナルの複数枚の撮影画像，および色調調整された複数枚分の撮影画像の全ての画像データを読み出して前記ディスプレイ８の表示部１６に一覧で表示させ，
　使用者Ｍが，前記ディスプレイ８に表示されている撮影画像Ｐの内から，タッチペン１５でペン入力画像の対象とする好みの複数枚の画像Ｐをタップして選択した後，一人用ペン入力モード，あるいは二人用ペン入力モードを選択すると，前記制御手段１８は，選択された所定枚数分の撮影画像のみを前記選択画像記憶部３０に転送して記憶し，続いて，前記選択画像記憶部３０に記憶された全ての撮影画像のデータを読み出して前記表示画像選択手段３５を介して前記ディスプレイ８に出力させ，その際，二人用ペン入力モードでは，選択された撮影画像Ｐの内の２つが割り当てられて表示されるペン入力領域３８を画面の左右に表示し，各ペン入力領域３８に割り当てられた撮影画像Ｐを除く残りの撮影画像Ｐが縮小されて表示される画像選択ボタン３９を前記各ペン入力領域３８の下方にそれぞれ表示し，一人用ペン入力モードでは，選択された撮影画像Ｐの内の一つの画像が割り当てられて表示される単一のペン入力領域３８を画面の上側に表示し，ペン入力領域３８に割り当てられた一つの撮影画像を除く残りの撮影画像Ｐがそれぞれ縮小されて表示される複数の画像選択ボタン３９を前記ペン入力領域３８の下方に表示するとともに，どちらのモードにおいても，各種の手書き画像Ｄの入力モード（線種）を選択する複数のペン入力ボタン４２，各種のスタンプ画像Ｓの種類を選択する複数のスタンプ入力ボタン４３，手書き画像Ｄまたはスタンプ画像Ｓに色付けするための複数のカラーパレット選択ボタン４６等をそれぞれ表示して，前記画像選択ボタン３９を操作することにより，当該画像選択ボタン３９に表示された縮小画像に対応する撮影画像Ｐが既にペン入力領域３８に表示されている画像Ｐと入れ替わってペン入力領域３８に表示されるようにし，
　タッチペン１５で前記ペン入力ボタン４２あるいは前記スタンプ入力ボタン４３の内の一つを選択するともに前記カラーパレット選択ボタン４６の内の一つを選択した後，前記ペン入力領域３８に対してタッチペン１５を操作すると，前記ペン入力画像処理部２８は，選択された色に色付けされかつ前記コントローラ１４と前記制御手段１８を介して入力される操作信号に応じた文字や図形等の手書き画像Ｄまたはスタンプ画像Ｓを発生し，当該手書き画像Ｄまたはスタンプ画像Ｓが前記ペン入力画像記憶部２９に記憶されるとともに，前記画像合成手段３１に送出され，
　前記画像合成手段３１は，前記選択画像記憶部３０に記憶されている複数枚の撮影画像Ｐの内，ペン入力領域３８に表示されている撮影画像Ｐに対して，前記ペン入力画像記憶部２９に記憶された手書き画像Ｄまたはスタンプ画像Ｓの合成を行い，
　前記制御手段１８は，前記画像合成手段３１で合成された画像を前記合成画像記憶部３２に記憶した後，その合成画像のデータを読み出して前記表示画像選択手段３５を介して前記ディスプレイ８に出力して，前記ペン入力領域３８に合成画像を表示させ，
　前記タイマ２３の計測時間が入力可能時間を過ぎると，印刷の際のシートレイアウトの選択が行なわれ，前記合成画像記憶部３２に記憶された合成画像のデータが前記印刷制御部３６を介して前記プリンタ９に送られて，印刷が開始され，被写体Ｍの撮影画像Ｐと手書き画像Ｄまたはスタンプ画像Ｓ等が合成された合成画像が印刷されたプリント媒体１１が前記送出口１２から送出されるよう構成された
　画像プリント作成装置。」
　
　イ　特開２００４−２８０５４３号公報
　原査定の拒絶の理由に引用された特開２００４−２８０５４３号公報（以下，「引用文献２」という。）は，本願の出願前に頒布された刊行物であって，当該引用文献２には，次の記載がある。
　ａ　「【０００１】
【発明の属する技術分野】
本発明は，構造解析に必要な各種条件を容易に設定できるようにする技術に関する。」
　
　ｂ　「【００２６】
【表９】
・・・（中略）・・・
ここで，構造解析条件設定装置の基本処理として，要素サイズ，荷重条件及び拘束条件の設定に用いる色の選択方法について説明する。第１の方法としては，・・・（中略）・・・第３の方法としては，例えば，カラーパレットの色を降順又は昇順に順次選択するように，色塗り又はライン描画を行うたびに，所定規則により色を自動的に選択する。このとき，カラーパレットの色を降順又は昇順に順次選択するかは，自由に指定できるようにすることが望ましい。」
　
　ウ　特開２００５−２０８３５２号公報
　原査定の拒絶の理由に引用された特開２００５−２０８３５２号公報（以下，「引用文献３」という。）は，本願の出願前に頒布された刊行物であって，当該引用文献３には，次の記載がある。
　ａ　「【技術分野】
【０００１】
  本発明は，撮影ブース内において被写体の写真を撮影する自動写真撮影装置に関し，特に，複数のカーテンを利用して，様々な態様の背景で写真撮影を行うことができる自動写真撮影装置に関する。」
　
　ｂ　「【００９６】
  また，「スタンプ」のアイコンは，種々のスタンプ画像の貼り付けのためのアイコンであり，タッチペン３４ａ，又は，３４ｂで「スタンプ」のアイコンを操作すると，７４ａに示されるような各種のスタンプ画像の選択肢がそれぞれメニューウィンド７４ａ，又は，７４ｂに表示され，いずれかのスタンプ画像を選択後，画像表示部７１ａ，又は，７１ｂにおいて，それぞれタッチペン３４ａ，３４ｂを操作した位置に，選択されたスタンプ画像を貼り付ける編集が行われるようになっている。
【００９７】
  なお，７４ａに例示されるスタンプ用メニューウィンドの上段左隅に示されているのは，「カラーチェンジボタン」であり，このボタンをタッチペンで操作する毎に，メニューウィンド内に表示されている「ハート」や「星」，「花」，「リボン」などのそれぞれのスタンプ画像に付された色彩が，一斉に「赤」→「青」→「黄色」→「赤」のように変化し，色彩を変化させてからスタンプ画像を選択することで，その色彩のスタンプ画像による貼り付けの編集ができるようになっており，これにより，分かりやすい態様で，より多様なスタンプ画像の貼り付けを行いうるようになっている。」
　
（３）対比
　ア　引用発明の「使用者Ｍ」，「被写体Ｍ」，「スタンプ画像Ｓ」，「シールプリント」，「プリント媒体１１」，「カラーパレット選択ボタン４６」及び「画像プリント作成装置」は，本件補正発明の「利用者」，「被写体」，「編集情報」，「写真シール」，「シールシート」，「１つのボタン」及び「写真シール作成装置」にそれぞれ相当する。
　イ（ア）　引用発明の「画像プリント作成装置」が行う「使用者Ｍが最初のコインを投入すると，前記カメラ６による被写体Ｍの撮像が開始され，使用者Ｍが動画としてリアルタイムで表示される前記ディスプレイ８の表示画像を見ながら被写体Ｍとしての位置調整を完了した後に，タッチペン１５を用いて画面の指示に従ってシャッタ操作の操作信号を入力すると，前記制御手段１８が，所定時間が経過するたびに，前記カメラ６のシャッタ操作を制御し，撮影された画像データを前記撮影画像記憶部２４に格納するとともに，前記ディスプレイ８に，その際に撮影した画像を静止画像として表示」するという動作（以下，便宜上「撮影動作」という。）は，使用者Ｍに，当該使用者Ｍを被写体とする撮影作業を行わせる動作であるということができる。
（イ）　また，引用発明の「画像プリント作成装置」が行う「タッチペン１５で前記ペン入力ボタン４２あるいは前記スタンプ入力ボタン４３の内の一つを選択するともに前記カラーパレット選択ボタン４６の内の一つを選択した後，前記ペン入力領域３８に対してタッチペン１５を操作すると，前記ペン入力画像処理部２８は，選択された色に色付けされかつ前記コントローラ１４と前記制御手段１８を介して入力される操作信号に応じた文字や図形等の手書き画像Ｄまたはスタンプ画像Ｓを発生し，当該手書き画像Ｄまたはスタンプ画像Ｓが前記ペン入力画像記憶部２９に記憶されるとともに，前記画像合成手段３１に送出され，
　前記画像合成手段３１は，前記選択画像記憶部３０に記憶されている複数枚の撮影画像Ｐの内，ペン入力領域３８に表示されている撮影画像Ｐに対して，前記ペン入力画像記憶部２９に記憶された手書き画像Ｄまたはスタンプ画像Ｓの合成を行い，
　前記制御手段１８は，前記画像合成手段３１で合成された画像を前記合成画像記憶部３２に記憶した後，その合成画像のデータを読み出して前記表示画像選択手段３５を介して前記ディスプレイ８に出力して，前記ペン入力領域３８に合成画像を表示させ」るという動作のうちスタンプ画像Ｓに関する動作（以下，便宜上「編集動作」という。）は，使用者Ｍに，前記撮影動作により得られた使用者Ｍの撮影画像Ｐに対して「スタンプ画像Ｓ」（編集情報）を入力する編集入力作業を行わせる動作であるということができる。
（ウ）　そして，引用文献１の【０００１】（前記（２）ア（ア）ｂを参照。）に記載されているとおり，引用発明の「画像プリント作成装置」はゲームセンター等に設置されるものであるから，前記「撮影動作」及び前記「編集動作」がゲームとして行われることが明らかである。
（エ）　したがって，引用発明は，本件補正発明の「写真シール作成ゲームとして，利用者に，前記利用者を被写体とする撮影作業，および前記撮影作業により得られた前記利用者の画像に対して編集情報を入力する編集入力作業を行わせ」るという発明特定事項に相当する構成を具備している。
　
　ウ　引用発明の「前記タイマ２３の計測時間が入力可能時間を過ぎると，印刷の際のシートレイアウトの選択が行なわれ，前記合成画像記憶部３２に記憶された合成画像のデータが前記印刷制御部３６を介して前記プリンタ９に送られて，印刷が開始され，被写体Ｍの撮影画像Ｐとペン入力画像等が合成された合成画像が印刷されたプリント媒体１１が前記送出口１２から送出される」ことは，本件補正発明の「得られた編集済みの前記利用者の画像を所定のシールシートに印刷し，印刷された前記シールシートを排出し，写真シールとして前記利用者に提供する」ことに相当する。
　
　エ　引用発明の「カラーパレット選択ボタン４６の内の一つを選択した後，前記ペン入力領域３８に対してタッチペン１５を操作すると，前記ペン入力画像処理部２８は，選択された色に色付けされかつ前記コントローラ１４と前記制御手段１８を介して入力される操作信号に応じた文字や図形等の手書き画像Ｄまたはスタンプ画像Ｓを発生」するという「コントローラ１４」，「制御部１８」及び「ペン入力画像処理部２８」の動作のうちスタンプ画像Ｓに関する動作は，撮影動作（前記イを参照。）により得られた撮影画像Ｐに対して入力される「スタンプ画像Ｓ」（編集情報）の色の選択の受け付けを，「カラーパレット選択ボタン４６」（１つのボタン）に対する操作に基づいて制御するという動作であるということができる。
　そして，引用発明の「カラーパレット選択ボタン４６」（一つのボタン）によって色を選択する際に，選択しようとする色が識別できるように，当該「カラーパレット選択ボタン４６」に色が表示されていることは，技術常識から自明であり，かつ，引用発明の「スタンプ画像Ｓ」は文字または図形である（スタンプ画像Ｓに文字スタンプが存在することが，引用文献１の【００６５】に記載されており，文字スタンプが「文字」に，文字スタンプ以外のスタンプ画像Ｓが「図形」に相当する。）から，引用発明の「コントローラ１４」，「制御部１８」及び「ペン入力画像処理部２８」と，本件補正発明の「前記撮影作業により得られた画像に対して入力される前記編集情報である文字または図形の色となる複数の色の組み合わせであるカラフルカラーの選択の受け付けを，前記カラフルカラーを構成する複数の色が表示された１つのボタンに対する操作に基づいて制御するカラフルカラー受付制御手段」とは，「撮影作業により得られた画像に対して入力される編集情報である文字または図形の色の選択の受け付けを，当該色が表示された１つのボタンに対する操作に基づいて制御するカラー受付制御手段」である点で一致する。
　
　オ　引用発明のディスプレイ８とタッチペン１５とにより構成される「スタンプ画像入力手段」は，引用文献１の【００２６】（前記（２）ア（ア）ｂを参照。）の記載によれば，手書き入力させるものではないから，「スタンプ画像Ｓ」（編集情報）を選択入力させるものであると認められるところ，「スタンプ画像Ｓ」を選択入力させる際に，選択しようとする「スタンプ画像Ｓ」が識別できるように，何らかの手法で当該「スタンプ画像Ｓ」を表示していることは，技術常識から明らかであるから，引用発明は，入力すべき「スタンプ画像Ｓ」（編集情報）を選択させるために「スタンプ画像Ｓ」を表示させる「スタンプ画像表示制御手段」を有しているといえる。
　そして，引用発明の「スタンプ画像Ｓ」は文字または図形である（前記エを参照。）から，引用発明の「スタンプ画像表示制御手段」と，本件補正発明の「選択パレット表示制御手段」とは，「入力すべき編集情報を選択させるために文字または図形を表示させる表示制御手段」である点で一致する。
　
　カ　前記アないしオから，本件補正発明と引用発明は，
「写真シール作成ゲームとして，利用者に，前記利用者を被写体とする撮影作業，および前記撮影作業により得られた前記利用者の画像に対して編集情報を入力する編集入力作業を行わせ，さらに，得られた編集済みの前記利用者の画像を所定のシールシートに印刷し，印刷された前記シールシートを排出し，写真シールとして前記利用者に提供する写真シール作成装置において，
　撮影作業により得られた画像に対して入力される編集情報である文字または図形の色の選択の受け付けを，当該色が表示された１つのボタンに対する操作に基づいて制御するカラー受付制御手段と，
　入力すべき編集情報を選択させるために文字または図形を表示させる表示制御手段と
　を備えた，
　写真シール作成装置。」
である点で一致し，次の点で相違する。
　
相違点１：
　本件補正発明では，「編集情報」である文字または図形の色として，複数の色の組み合わせであるカラフルカラーを選択可能であり，当該カラフルカラーの選択の受け付けを，カラフルカラーを構成する複数の色が表示された「１つのボタン」に対する操作に基づいて行うとともに，入力すべき「編集情報」を選択させるための複数の文字または複数の図形の表示において，表示される複数の文字または複数の図形の色を，編集情報として選択された文字または図形が撮影作業により得られた利用者の画像に対して入力される都度，選択された前記カラフルカラーを構成する複数の色のうちのいずれか１つの色に順次切り替えるのに対して，
　引用発明では，「スタンプ画像Ｓ」である文字または図形の色として，複数の色の組み合わせであるカラフルカラーを選択することはできず，また，カラフルカラーを構成する複数の色が表示された「カラーパレット選択ボタン４６」は有しておらず，「スタンプ画像Ｓ」を選択させるための複数の文字または複数の図形の表示において，カラフルカラーを構成する複数の色の切り替えを行うこともない点。
　
相違点２：
　本件補正発明では，「編集情報」である文字または図形の選択を，入力すべき編集情報を選択させるために複数の文字または複数の図形が表示される選択パレットを用いて行うのに対して，
　引用発明では，「スタンプ画像Ｓ」である文字または図形の選択を，どのような手段を用いて行うのかは特定されない点。
　
（４）判断
　まず，相違点１について検討する。
　写真シール作成装置の技術分野において，撮影画像に合成する編集情報の色として，複数の色の組み合わせであるカラフルカラーを選択可能とし，当該カラフルカラーの選択の受け付けを，カラフルカラーを構成する複数の色が表示された１つのボタンに対する操作に基づいて行うとともに，入力すべき編集情報を選択させるための編集情報の表示において，表示される編集情報の色を，選択された編集情報が撮影画像に対して入力される都度，選択された前記カラフルカラーを構成する複数の色のうちのいずれか１つの色に順次切り替えるといった技術思想は，引用文献２及び３には記載も示唆もされておらず，また，当該技術思想が本願の出願前に公知であったことを示す証拠も見当たらないから，引用発明において，相違点１に係る本件補正発明の発明特定事項に相当する構成を採用することが，当業者にとって容易想到であるとはいえない。
　そして，本件補正発明は，相違点１に係る発明特定事項を具備することで，編集情報を入力する毎に色の選択を行うことなく，複数の色が表示された一つのボタンに対して操作するという簡単な操作で，編集情報に対する複数の色の設定を可能とするという顕著な効果を奏するものと認められる。
　したがって，相違点２の容易想到性について判断を示すまでもなく，本件補正発明が，引用発明に基づいて，当業者が容易に発明をすることができたとはいえない。
　
（５）独立特許要件のまとめ
　よって，請求項１についての本件補正は，特許法１７条の２第６項において準用する同法１２６条７項の規定に適合する。
　
５　請求項１以外を対象とする本件補正について
　請求項１以外を対象とする本件補正についても，特許法１７条の２第３項ないし６項に違反するところはない。
６　むすび
　本件補正は，特許法１７条の２第３項ないし６項の規定に適合する。
　
　
第３　本願発明
　本件補正は前記第２のとおり，特許法１７条の２第３項ないし６項の規定に適合するから，本願の請求項１ないし９に係る発明は，本件補正により補正された特許請求の範囲の請求項１ないし９に記載された事項により特定されるとおりのものである。
　そして，本願については，原査定の拒絶理由を検討してもその理由によって拒絶すべきものとすることはできない。
　また，他に本願を拒絶すべき理由を発見しない。
　よって，結論のとおり審決する。